(57)【特許請求の範囲】
【請求項１】
電気光学素子を含む電気光学基板と、
前記電気光学基板上に形成され、前記電気光学素子を駆動する複数の駆動回路と、
前記複数の駆動回路のうち、隣り合う駆動回路間を電気的に接続する第１の接続路と、
前記第１の接続路のうち少なくとも一部の接続路が設けられる複数の第１の基板と、
を備え、
前記駆動回路は、階調データに基づいて生成された階調信号を前記電気光学素子に供給するデータ線駆動回路であり、
前記駆動回路は、短辺及び長辺を有する平面形状を有するとともに、該長辺側に接合部を有し、
前記電気光学基板と前記複数の第１の基板とは別基板で構成されており、
前記第１の接続路は、前記階調データを前記隣り合う駆動回路間でカスケード伝送する信号配線と、前記複数の駆動回路に電源を供給する電源配線とから構成されており、
前記複数の第１の基板の各々には、前記信号配線と、前記電源配線とがともに配設されており、
前記第１の接続路のうち前記少なくとも一部の接続路を除く残りの接続路は、前記電気光学基板に設けられ、
前記信号配線及び前記電源配線はともに、前記第１の基板を介して前記隣り合う駆動回路それぞれの長辺側の接合部に接続されており、
前記第１の接続路のうち、前記第１の基板に設けられる少なくとも一部の接続路は、電気的に接触可能な状態に加工された接触可能領域を備えており、
前記第１の接続路のうち、前記第１の基板に設けられる接続路には電源配線が含まれ、
該電源配線に設けられた前記接触可能領域に電源強化用配線が実装されており、
該電源強化用配線は、前記電気光学基板には配設されない
ことを特徴とする信号伝送回路。
【請求項２】
請求項１に記載の信号伝送回路において、
前記電源配線に設けられた前記接触可能領域にコンデンサが実装されている、
ことを特徴とする信号伝送回路。
【請求項３】
請求項１または２に記載の信号伝送回路において、
複数の前記第１の基板間で前記電源強化用配線が共通接続されている、
ことを特徴とする信号伝送回路。
【請求項４】
請求項１乃至３の何れかに記載の信号伝送回路と、
該信号伝送回路を制御する制御回路が設けられた第２の基板と、
を備えた電気光学装置。
【請求項５】
請求項４に記載の電気光学装置と、
該電気光学装置を制御する回路と、
を備えた電子機器。
【発明の詳細な説明】
【技術分野】
【０００１】
本発明は信号伝送回路及び電気光学装置並びに電子機器に関し、特に複数の回路をカスケード接続する場合に適用して有用なものである。
【背景技術】
【０００２】
液晶表示装置に代わる電気光学装置として、有機発光ダイオード素子（以下、ＯＬＥＤ素子と称する。）を備えた装置が注目されている。ＯＬＥＤ（Organic Light Emitting Diode）素子は、電気的にはダイオードのように動作し、光学的には、順バイアス時に発光して順バイアス電流の増加にともなって発光輝度が増加する。
【０００３】
ＯＬＥＤ素子をマトリクス状に配列した電気光学装置は、複数の走査線と、複数のデータ線を備え、走査線とデータ線の交差部に対応して画素回路が設けられている。すなわち、マトリクス状に配設した画素回路で表示部である画素領域を形成している。ここで、画素回路は、データ線から供給される電流の値を記憶し、記憶した電流値に対応する駆動電流をＯＬＥＤ素子に供給する機能を有する。
【０００４】
かかる電気光学装置においては、複数のデータ線に対して表示すべき階調に応じた電流信号である階調信号を各々供給するデータ線駆動回路を設けている。ここで、各データ線駆動回路に階調信号を送信する際には、従来から構造が比較的単純な共通バス伝送方式が用いられてきた。
【０００５】
かかる共通バス方式を採用する従来技術に係る電気光学装置の模式図を図１３に示す。同図に示すように、電気光学装置６００は、電気光学基板６１０とプリント回路基板６２０とそれらの間に介設される複数の中継用ＦＰＣ６３０ａ〜ｎとからなり、それらの上に画像領域Ａ及びデータ線駆動回路７００が形成されている。
【０００６】
画像領域Ａは、画素となる電気光学素子をマトリクス状に配設してなり、表示部として機能する領域である。データ線駆動回路７００は、電気光学基板６１０上に配設された複数の駆動回路Ｄｒ１〜ＤｒＮと、プリント回路基板６２０上に配設された共通バス６２１と、中継用ＦＰＣ６３０ａ〜ｎ上に配設されて駆動回路Ｄｒ１〜ＤｒＮと共通バス６２１とを電気的にそれぞれ接続する線路６３１ａ〜ｎとからなっており、各駆動回路Ｄｒ１〜ＤｒＮは共通バス６２１及び線路６３１ａ〜ｎを介して、制御回路６５０が中継用ＦＰＣ６６０を経由して送出するＸクロック信号ＸＣＬＫ、階調データＤ、セレクタ信号などの伝送を行うように構成してある。
【０００７】
かかる電気光学装置６００では、制御回路６５０から送出された階調データＤなどは、共通バス６２１及び線路６３１ａ〜ｎを介してすべての駆動回路Ｄｒ１〜ＤｒＮに伝送されるようになっているが、階調データＤなどと同時に伝送されたセレクタ信号により、そのセレクタ信号に対応する駆動回路のみがその階調データＤなどを内部に取り込む仕組みとなっている。
【０００８】
しかしながら、かかる電気光学装置６００では、制御回路６５０から送出された階調データＤなどを各駆動回路Ｄｒ１〜ＤｒＮに伝送するために、電気光学基板６１０上の各駆動回路Ｄｒ１〜ＤｒＮの位置に対応した共通バス６２１をプリント回路基板６２０上に配設する必要がある。
【０００９】
しがたって、プリント回路基板６２０の形状は、電気光学基板６１０上の各駆動回路Ｄｒ１〜ＤｒＮの位置に対応したものとする必要がある。具体的には、電気光学基板６１０上の駆動回路Ｄｒ１〜ＤｒＮが配設された領域に対応する長さのプリント回路基板６２０が必要となる。そのために、電気光学基板６１０に配設される駆動回路Ｄｒ１〜ＤｒＮの数が多くなるに連れて、プリント回路基板６２０も長くなるという問題があった。また、通常プリント回路基板６２０は制御回路６５０から送出された階調データＤなどを駆動回路Ｄｒ１〜ＤｒＮに伝送することが主目的であるため、いたずらにプリント回路基板６２０を長くしなければならないということは、資源的・材料費的に非効率的であるという問題もあった。
【００１０】
かかる問題を解決する方法として、例えば特開平８−１４６４４９号公報（特許文献１）及び特開２００１−１７４８４３号公報（特許文献２）に開示する技術がある。特許文献１に開示する技術は、複数の駆動回路が配設された電気光学基板とその駆動回路に接続される共通バスが配設されたフレキシブル配線板とからなり、各駆動回路間の位置に設けられた接続点を介して各駆動回路に階調データなどを供給するというものである。また、特許文献２に開示する技術は、複数の駆動回路と共に各駆動回路間を電気的にカスケード接続したデータ線駆動回路を電気光学基板上に配設し、隣接する駆動回路間で階調データなどをカスケード伝送するというものである。
【００１１】
特許文献１に開示する技術によると、配線を配設するのに要する基板の面積を小さくすることはできるが、共通バスと各駆動回路とを駆動回路の短辺側で接続しているので、接続することができる信号数が駆動回路の短辺側に端子を設けることができる程度の数の場合しか用いることができず、それ以上の信号数の場合に用いるには、隣接する駆動回路間のスペースを大きくしなければならないという問題があった。
【００１２】
また、特許文献２に開示する技術によると、特許文献１と同様に、配線を配設するのに要する基板の面積を小さくすることはできるが、ガラス基板である電気光学基板上に直接カスケード接続された駆動回路を配設しているので、各駆動回路に供給する電源を安定化させるためのコンデンサなどを設けることができないという問題があった。また、各駆動回路を薄膜配線など比較的高抵抗な配線を用いてカスケード接続しているので、電源側から離れるに連れて配線に印加される電圧が降下し（電圧降下）、電源側から離れた位置に配設された駆動回路が誤作動を起こす場合があるという問題があった。
【００１３】
【特許文献１】特開平８−１４６４４９号公報
【特許文献２】特開２００１−１７４８４３号公報
【発明の開示】
【発明が解決しようとする課題】
【００１４】
本発明は、上述した事情に鑑み、配線を配設するのに要する基板の面積を小さくすることができ、かつ、多くの信号線を必要とする信号回路の場合にも用いることができると共に、配線の電圧降下を抑制し、信頼性の高い信号伝送回路、電気光学装置及び電子機器を提供することを目的とする。
【課題を解決するための手段】
【００１５】
上記課題を解決する本発明の第１の態様は、電気光学素子を含む電気光学基板と、該電気光学素子を駆動する複数の駆動回路と、該複数の駆動回路間を電気的に接続する第１の接続路と、前記第１の接続路のうち少なくとも一部の接続路を含む第１の基板と、を備え、前記電気光学基板と前記第１の基板とは別基板で構成されている、ことを特徴とする信号伝送回路にある。
かかる第１の態様では、配線を配設するのに要する基板の面積を小さくすることができる。
【００１６】
本発明の第２の態様は、第１の態様に記載の信号伝送回路において、前記駆動回路は、前記電気光学基板上に実装されている、ことを特徴とする信号伝送回路にある。
かかる第２の態様では、配線を配設するのに要する基板の面積をより小さくすることができる。
【００１７】
本発明の第３の態様は、第１または２の態様に記載の信号伝送回路において、前記第１の接続路は、隣接する前記駆動回路間の接続経路として機能する、ことを特徴とする信号伝送回路にある。
かかる第３の態様では、配線を配設するのに要する基板の面積をさらに小さくすることができる。
【００１８】
本発明の第４の態様は、第１乃至３の何れかの態様に記載の信号伝送回路において、前記第１の接続路のうち少なくとも一部の接続路は、前記電気光学基板及び前記第１の基板上に形成される、ことを特徴とする信号伝送回路にある。
かかる第４の態様では、配線を配設するのに要する基板の面積をより小さくすることができる。
【００１９】
本発明の第５の態様は、第１乃至４の何れかの態様に記載の信号伝送回路において、前記駆動回路はその平面形状が略長方形であり、前記第１の接続路のうち少なくとも一部の接続路は、前記略長方形の駆動回路の長辺側に接合部を有する、ことを特徴とする信号伝送回路にある。
かかる第５の態様では、より多くの信号を扱う駆動回路間を接続することができる。
【００２０】
本発明の第６の態様は、第１乃至５の何れかの態様に記載の信号伝送回路において、前記第１の基板に設けられる少なくとも一部の接続経路は、電気的に接触可能な状態に加工された接触可能領域を備えている、ことを特徴とする信号伝送回路にある。
かかる第６の態様では、補助電源配線やコンデンサなどを容易に接続することができる。
【００２１】
本発明の第７の態様は、第６の態様に記載の信号伝送回路において、前記第１の基板に設けられる接続経路には電源配線が含まれ、該電源配線に設けられた前記接触可能領域にコンデンサが実装されている、ことを特徴とする信号伝送回路にある。
かかる第７の態様では、駆動回路への電源供給能力の安定化（平滑化）を図ることができる。
【００２２】
本発明の第８の態様は、第６または７の態様に記載の信号伝送回路において、前記第１の基板に設けられる接続経路には電源配線が含まれ、該電源配線に設けられた前記接触可能領域に電源強化用配線が実装されている、ことを特徴とする信号伝送回路にある。
かかる第８の態様では、電源配線における電圧降下を低減することができる。
【００２３】
本発明の第９の態様は、第８の態様に記載の信号伝送回路において、複数の前記第１の基板間で前記電源強化用配線が共通接続されている、ことを特徴とする信号伝送回路にある。
かかる第９の態様では、電源強化用配線を容易に設けることができる。
【００２４】
本発明の第１０の態様は、第６または７の態様に記載の信号伝送回路において、前記第１の基板に設けられる接続経路には電源配線が含まれ、該電源配線に設けられた前記接触可能領域が複数の前記第１の基板間で接合されている、ことを特徴とする信号伝送回路にある。
かかる第１０の態様では、電源配線における電圧降下を低減することができる。
【００２５】
本発明の第１１の態様は、第１乃至１０の何れかの態様に記載の信号伝送回路と、該信号伝送回路を制御する制御回路が設けられた第２の基板と、を備えた電気光学装置にある。
かかる第１１の態様では、小型で信頼性の高い電気光学装置を提供することができる。
【００２６】
本発明の第１２の態様は、第１１の態様に記載の電気光学装置と、該電気光学装置を制御する回路と、を備えた電子機器にある。
かかる第１２の態様では、小型で信頼性の高い電子機器を提供することができる。
【発明を実施するための最良の形態】
【００２７】
以下、本発明を実施するための最良の形態について説明する。なお、本実施形態の説明は例示であり、本発明は以下の説明に限定されない。
（実施形態１）
図１は、本発明の実施形態１に係る電気光学装置の概略構成を示すブロック図である。図１に示すように、電気光学装置Ｉは、画像領域Ａ、走査線駆動回路１００、データ線駆動回路２００、制御回路３００及び電源回路５００を備える。これらのうち、画像領域Ａ、走査線駆動回路１００はガラス基板である電気光学基板１上に形成してあり、データ線駆動回路２００は、電気光学基板１上及び電気光学基板１に接続する複数のフレキシブル基板（ＦＰＣ）である配線基板上に形成してある。また、制御回路３００はプリント回路基板（ＰＣＢ）である制御回路基板上に形成してある。なお、本実施形態では、配線基板が第１の基板に相当し、制御回路基板が第２の基板に相当する。
【００２８】
画像領域Ａには、Ｘ方向と平行にｍ本の走査線１０１及びｍ本の発光制御線１０２が形成され、さらにＸ方向と直交するＹ方向と平行にｎ本のデータ線１０３が形成されている。そして、走査線１０１とデータ線１０３との各交差点に対応してＯＬＥＤ素子を含む画素回路４００が各々設けられている。各画素回路４００には、電源電圧Ｖｄｄが電源配線Ｌを介して供給される。
【００２９】
走査線駆動回路１００は、複数の走査線１０１を順次選択するための走査信号Ｙ１、Ｙ２、Ｙ３、…、Ｙｍを生成すると共に発光制御信号Ｖｇ１、Ｖｇ２、Ｖｇ３、…、Ｖｇｍを生成する。走査信号Ｙ１〜Ｙｍ及び発光制御信号Ｖｇ１〜ＶｇｍはＹ転送開始パルスＤＹをＹクロック信号ＹＣＬＫに同期して順次転送することにより生成される。発光制御信号Ｖｇ１、Ｖｇ２、Ｖｇ３、…、Ｖｇｍは、各発光制御線１０２を介して各画素回路４００に各々供給される。
【００３０】
図２に走査信号Ｙ１〜Ｙｍと発光制御信号Ｖｇ１〜Ｖｇｍのタイミングチャートの一例を示す。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍとして供給する。一般的にｉ（ｉは、１≦ｉ≦ｍを満たす整数）行目の走査線１０１に供給される走査信号ＹｉがＨレベルになると、当該走査線１０１が選択されたことを示す。また、発光制御信号Ｖｇ１、Ｖｇ２、Ｖｇ３、…、Ｖｇｍとしては、例えば、走査信号Ｙ１、Ｙ２、Ｙ３、…、Ｙｍの論理レベルを反転した信号を用いる。
【００３１】
データ線駆動回路２００は、出力階調データＤｏｕｔに基づいて、選択された走査線１０１に位置する画素回路４００の各々に対し階調成分Ｄ０〜Ｄ８に基づき生成した階調信号を供給する。この例において、階調成分Ｄ０〜Ｄ８は階調輝度を指示する電流信号Ｘ１、Ｘ２、Ｘ３、Ｘ４、…、Ｘｎとして再生される。また、階調成分Ｄ０〜Ｄ８は、各画素に対応した数のデジタルデータである前記出力階調データＤｏｕｔの構成要素であり、それぞれ各画素の輝度を表す階調を情報として含むようビット単位の信号を所定の配列で並べた、例えば９ビットの信号である。
【００３２】
制御回路３００は、Ｙクロック信号ＹＣＬＫ、Ｘクロック信号ＸＣＬＫ、Ｘ転送開始パルスＤＸ、Ｙ転送開始パルスＤＹ等の各種の制御信号を生成してこれらを走査線駆動回路１００及びデータ線駆動回路２００へ出力する。また、制御回路３００は、外部から供給される入力階調データＤｉｎにガンマ補正等の画像処理を施して出力階調データＤｏｕｔを生成する。この出力階調データＤｏｕｔは、例えば９ビットの階調成分Ｄ０〜Ｄ８を所定の配列で並べたものである。
【００３３】
次に、画素回路４００について説明する。図３に、画素回路４００の回路図を示す。同図に示す画素回路４００は、ｉ行目に対応するものであり、電源電圧Ｖｄｄが供給される。画素回路４００は、４個のＴＦＴ４０１〜４０４と、容量素子４１０と、ＯＬＥＤ素子４２０とを備える。ＴＦＴ４０１〜４０４の製造プロセスでは、レーザーアニールショットを利用してガラス基板の上にポリシリコン層が形成される。また、ＯＬＥＤ素子４２０は、陽極と陰極との間に発光層が挟持されている。そして、ＯＬＥＤ素子４２０は、順方向電流に応じた輝度で発光する。発光層には、発光色に応じた有機ＥＬ（Electroluminescence）材料が用いられる。発光層の製造プロセスでは、インクジェット方式のヘッドから有機ＥＬ材料を液滴として吐出し、これを乾燥させている。
【００３４】
駆動トランジスタであるＴＦＴ４０１はｐチャネル型、スイッチングトランジスタであるＴＦＴ４０２〜４０４はｎチャネル型である。ＴＦＴ４０１のソース電極は電源配線Ｌに接続される一方、そのドレイン電極はＴＦＴ４０３のドレイン電極、ＴＦＴ４０４のドレイン電極及びＴＦＴ４０２のソース電極にそれぞれ接続される。
【００３５】
容量素子４１０の一端はＴＦＴ４０１のソース電極に接続される一方、その他端は、ＴＦＴ４０１のゲート電極及びＴＦＴ４０２のドレイン電極にそれぞれ接続される。ＴＦＴ４０３のゲート電極は走査線１０１に接続され、そのソース電極は、データ線１０３に接続される。また、ＴＦＴ４０２のゲート電極は走査線１０１に接続される。一方、ＴＦＴ４０４のゲート電極は発光制御線１０２に接続され、そのソース電極はＯＬＥＤ素子４２０の陽極に接続される。ＴＦＴ４０４のゲート電極には、発光制御線１０２を介して発光制御信号Ｖｇｉが供給される。なお、ＯＬＥＤ素子４２０の陰極は、画素回路４００のすべてに対して共通の電極であり、電源における低位（基準）電位となっている。
【００３６】
このような構成において、走査信号ＹｉがＨレベルになると、ｎチャネル型ＴＦＴ４０２がオン状態となるので、ＴＦＴ４０１は、ゲート電極とドレイン電極とが互いに接続されたダイオードとして機能する。走査信号ＹｉがＨレベルになると、ｎチャネル型ＴＦＴ４０３も、ＴＦＴ４０２と同様にオン状態となる。この結果、データ線駆動回路２００の電流Ｉdataが、電源配線Ｌ→ＴＦＴ４０１→ＴＦＴ４０３→データ線１０３という経路で流れるとともに、そのときに、ＴＦＴ４０１のゲート電極の電位に応じた電荷が容量素子４１０に蓄積される。
【００３７】
走査信号ＹｉがＬレベルになると、ＴＦＴ４０３、４０２はともにオフ状態となる。このとき、ＴＦＴ４０１のゲート電極における入力インピーダンスは極めて高いので、容量素子４１０における電荷の蓄積状態は変化しない。ＴＦＴ４０１のゲート・ソース間電圧は、電流Ｉdataが流れたときの電圧に保持される。また、走査信号ＹｉがＬレベルになると、発光制御信号ＶｇｉがＨレベルとなる。このため、ＴＦＴ４０４がオンし、ＴＦＴ４０１のソース・ドレイン間には、そのゲート電圧に応じた注入電流Ｉoledが流れる。詳細には、この電流は、電源配線Ｌ→ＴＦＴ４０１→ＴＦＴ４０４→ＯＬＥＤ素子４２０という経路で流れる。
【００３８】
ここで、ＯＬＥＤ素子４２０に流れる注入電流Ｉoledは、ＴＦＴ４０１のゲート・ソース間電圧で定まるが、その電圧は、Ｈレベルの走査信号Ｙｉによって電流Ｉdataがデータ線１０３に流れたときに、容量素子４１０によって保持された電圧である。このため、発光制御信号ＶｇｉがＨレベルになったときに、ＯＬＥＤ素子４２０に流れる注入電流Ｉoledは、直前に流れた電流Ｉdataに略一致する。このように画素回路４００は、電流Ｉdataによって発光輝度を規定することから、アクティブ電流プログラム方式の回路である。
【００３９】
本実施形態は、データ線駆動回路２００の構成に特徴を有するものであり、図４にこのデータ線駆動回路２００の構成を示す。同図に示すように、本形態におけるデータ線駆動回路２００は、電気光学基板１上及び電気光学基板１に接する複数の配線基板Ｆ１〜Ｆｎ上に形成してある。具体的には、複数の駆動回路Ｄｒ１，Ｄｒ２・・・ＤｒＮが電気光学基板１上に並列して配置されると共に、隣接する駆動回路間をカスケード接続する第１の接続路である線路Ｌ１〜Ｌｎが各駆動回路間に対応して電気光学基板１に接続された配線基板Ｆ１〜Ｆｎ上をそれぞれ経由するように電気光学基板１上及び配線基板Ｆ１〜Ｆｎ上に配設されている。そして、線路Ｌ１〜Ｌｎは、図５に示すように、複数の配線Ｗ１〜Ｗｍからなり、Ｘクロック信号ＸＣＬＫ、出力階調データＤｏｕｔなどを伝送できるようになっている。なお、本実施形態の配線基板Ｆ１〜Ｆｎは、各駆動回路間に対応する電気光学基板１の端面に接続されている。また、本実施形態では、線路Ｌ１〜Ｌｎを構成するすべての配線Ｗ１〜Ｗｍが配線基板Ｆ１〜Ｆｎ上に配設されているが、すべての配線Ｗ１〜Ｗｍが配線基板Ｆ１〜Ｆｎ上に配設される必要はなく、配線Ｗ１〜Ｗｍの一部が配線基板Ｆ１〜Ｆｎ上に配置されるようにしてもよい。
【００４０】
ここで、線路Ｌ１〜Ｌｎを構成する複数の配線Ｗ１〜Ｗｍは、一端が駆動回路Ｄｒ１，Ｄｒ２・・・ＤｒＮの長辺側の端子にそれぞれ接続されており、その端子から電気光学基板１の端部及び各駆動回路間に対応する配線基板Ｆ１〜Ｆｎをそれぞれ経由するように電気光学基板１上及び配線基板Ｆ１〜Ｆｎ上に配設されている。そして、配線Ｗ１〜Ｗｍは、最終的に隣接する駆動回路の長辺側の端子に接続されるようになっている。なお、電気光学基板１上に配設された配線Ｗ１〜Ｗｍと、配線基板Ｆ１〜Ｆｎ上に配設された配線Ｗ１〜Ｗｍとは、各基板の端部に配線Ｗ１〜Ｗｍごとに設けられた接続端子を介して接続されるようになっている。
【００４１】
このようにして、配線Ｗ１〜Ｗｍを電気光学基板１に接続された配線基板Ｆ１〜Ｆｎ上に配設することができるので、電気光学基板１の面積を小さくすることができる。また、駆動回路Ｄｒ１〜ＤｒＮの長辺側に配線Ｗ１〜Ｗｍを接続することができるので、より多くの信号を扱う駆動回路間をカスケード接続することができる。さらに、配線基板Ｆ１〜Ｆｎ上の配線の材料として電気抵抗が少ない銅・アルミニウムなどを用いることができるので、電圧降下を抑制することができる。
【００４２】
さらに、本実施形態では、配線基板Ｆ１〜Ｆｎとしてフレキシブル基板を用いているので、配線基板Ｆ１〜Ｆｎを電気光学基板１の裏面方向に折り曲げることにより、電気光学装置Ｉをより小型化することができると共に、小型化による電気光学装置Ｉの製品価値を向上させることができる。
【００４３】
また、例えば配線基板Ｆｉ上に配設された配線Ｗ３に接触不良や短絡などの障害がある場合には、配線基板Ｆｉを交換するだけでその障害を解消することができるので、結果として、より電気光学装置Ｉの生産性を向上させることができ、電気光学装置Ｉの製造コストを削減することができる。
【００４４】
さらに、図６に示すように、配線基板Ｆ１〜Ｆｎ上に設けられた配線Ｗ１〜Ｗｍに接触可能領域であるランドＲ１、Ｒ２を設けて、それらのランドに補助電源配線やコンデンサなどを接続できるようにしてもよい。図６は配線基板Ｆｊ上の配線Ｗ１、Ｗ２にランドＲ１、Ｒ２を設けた際の回路図である。ここで、接触可能領域とは、補助電源配線などと配線とを電気的に接続させることができるようになっているものであれば特に限定されない。本実施形態では、図６に示すように、配線Ｗ１、Ｗ２に接触可能領域としてランドＲ１、Ｒ２を設けている。なお、このランドＲ１、Ｒ２は、それぞれのランドＲ１、Ｒ２に接続される配線Ｗ１、Ｗ２の一部の幅を広げることにより形成されたものであり、補助電源配線などと電気的に接続できるようになっている。
【００４５】
具体的には、例えば図７に示すように、配線基板Ｆ１〜Ｆｎ上に設けられた配線Ｗ１〜Ｗｍのうちの各駆動回路Ｄｒ１〜ＤｒＮへ電源を供給するための電源配線である電源配線ＶＳＳ及びグラウンド配線ＶＣＣにそれぞれランドＲ１、Ｒ２を設け、ランドＲ１に電源強化用配線であるＶＳＳ強化用バイパス配線を接続すると共に、ランドＲ２に電源強化用配線であるＶＣＣ強化用バイパス配線を接続するようにしてもよい。ＶＳＳ強化用バイパス配線は図示しない電源の負極に接続されており、ＶＣＣ強化用バイパス配線は図示しない電源の陽極に接続されている。そして、ランドＲ１を介して電源配線ＶＳＳに負の電圧が印加されると共に、グラウンド配線ＶＣＣに正の電圧が印加されることになるので、電源配線ＶＳＳとグラウンド配線ＶＣＣとの間の電圧降下を低減することができる。なお、ＶＳＳ強化用バイパス配線及びＶＣＣ強化用バイパス配線に接続される電源としては、制御回路３００の電源配線でもよいし、外部の電源であってもよい。
【００４６】
以上説明したように、このような構成とすることにより、電源配線ＶＳＳ及びグラウンド配線ＶＣＣにおける電圧降下を低減することができるので、各駆動回路への電源供給能力の向上（安定化）を図ることができ、結果として信号伝送回路及びその信号伝送回路を用いた電気光学装置の信頼性や動作マージンを向上させることができる。なお、本実施形態では、容易に接続できるようにランドＲ１、Ｒ２を介して電源配線ＶＳＳ及びグラウンド配線ＶＣＣにＶＳＳ強化用バイパス配線及びＶＣＣ強化用バイパス配線を接続したが、電源配線ＶＳＳ及びグラウンド配線ＶＣＣに直接ＶＳＳ強化用バイパス配線及びＶＣＣ強化用バイパス配線を接続するようにしてもよい。
【００４７】
また、図８に示すように、線路Ｌ１〜Ｌｎを構成する配線Ｗ１〜Ｗｍのうちの電源配線ＶＳＳ及びグラウンド配線ＶＣＣにそれぞれランドＲ１、Ｒ２を設け、ランドＲ１とランドＲ２との間にコンデンサＣ１を接続するようにしてもよい。このようにコンデンサＣ１を設けることにより、各駆動回路Ｄｒ１〜ＤｒＮへの電源供給能力の安定化（平滑化）を図ることができ、結果として信号伝送回路及びその信号伝送回路を用いた電気光学装置Ｉの信頼性を向上させることができる。なお、本実施形態では、容易に接続できるようにランドＲ１、Ｒ２を介して電源配線ＶＳＳとグラウンド配線ＶＣＣとの間にコンデンサＣ１を接続したが、電源配線ＶＳＳとグラウンド配線ＶＣＣとの間に直接コンデンサＣ１を接続するようにしてもよい。
【００４８】
また、ランドを設けることにより、そこをプロービングするなどして信号状態の確認が可能となる。これにより、電気光学装置Ｉの評価を迅速かつ正確に行えるようになるため、開発、設計期間短縮による低コスト化が期待できる。
【００４９】
（実施形態２）
実施形態１では、画素回路４００として、アクティブ電流プログラム方式の回路を用いたが、パッシブ電流方式の回路を用いてもよい。図９にパッシブ電流方式の回路図を示す。同図に示す画素回路４００Ａは、ｉ行目に対応するものであり、電源電圧Ｖｄｄが供給される。画素回路４００Ａは、ＯＬＥＤ素子４２０Ａを備えている。ＯＬＥＤ素子４２０Ａは、上述した実施形態１のＯＬＥＤ素子と同様の構造をしており、同様の製造プロセスにより製造される。
【００５０】
このように、画素回路４００としてパッシブ電流方式の回路を用いても実施形態１と同様の効果が得られる。
【００５１】
（他の実施形態）
実施形態１及び２では、上述したように画素回路がマトリクス状に配置された電気光学装置Ｉの電気光学基板上及び電気光学基板に接する複数の配線基板Ｆ１〜Ｆｎ上に駆動回路を形成したが、本発明はこれに特に限定されない。例えば、画素回路がライン状に配置された電気光学装置（例えば、光書き込み型のプリンタや電子複写機などの書き込みヘッドなど）の電気光学基板上及び電気光学基板に接する複数の配線基板上に駆動回路を形成してもよい。また、低分子、高分子もしくはデンドリマー等の発光有機材料を用いた電気光学装置の電気光学基板上及び電気光学基板に接する複数の配線基板上に駆動回路を形成してもよいし、液晶を用いた電気光学装置の電気光学基板上及び電気光学基板に接する複数の配線基板上に駆動回路を形成してもよい。このような場合であっても、実施形態１及び２と同様の効果が得られる。
【００５２】
＜応用例＞
次に、上述した実施形態に係る電気光学装置Ｉを適用した電子機器について説明する。図１０に、電気光学装置Ｉを適用したモバイル型のパーソナルコンピュータの構成を示す。パーソナルコンピュータ２０００は、表示ユニットとしての電気光学装置Ｉと本体部２０１０を備える。本体部２０１０には、電源スイッチ２００１及びキーボード２００２が設けられている。この電気光学装置はＯＬＥＤ素子４２０を用いるので、視野角が広く見易い画面を表示できる。
【００５３】
図１１に、電気光学装置Ｉを適用した携帯電話機の構成を示す。携帯電話機３０００は、複数の操作ボタン３００１及びスクロールボタン３００２、並びに表示ユニットとしての電気光学装置Ｉを備える。スクロールボタン３００２を操作することによって、電気光学装置Ｉに表示される画面がスクロールされる。
【００５４】
図１２に、電気光学装置Ｉを適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置Ｉを備える。電源スイッチ４００２を操作すると、住所録やスケジュール帳といった各種の情報が電気光学装置Ｉに表示される。
【００５５】
さらに、フィールドエミッション素子（ＦＥＤ）、表面電動型エミッション素子（ＳＥＤ）、弾道電子放出素子（ＢＳＤ）等の自発光素子を用いた表示装置、液晶表示装置等にも好適に適用し得る。
【００５６】
なお、電気光学装置Ｉが適用される電子機器としては、図１０〜図１２に示すものの他、大画面テレビ、コンピュータモニター、表示兼用照明装置、携帯電話機、ゲーム機、電子ペーパー、運転操作パネル、ビデオカメラ、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置が適用可能である。また、電気光学素子を光源として利用するプリンタ、スキャナ等にも有効に応用することができる。
【図面の簡単な説明】
【００５７】
【図１】本発明の実施形態１に係る電気光学装置を示すブロック図。
【図２】図１における走査信号と発光制御信号を示すタイミングチャート。
【図３】図１における画素回路を示す回路図。
【図４】図１におけるデータ線駆動回路を示す回路図。
【図５】図１における配線基板上の配線を示す回路図。
【図６】配線基板上の配線にランドを設けた際の回路図。
【図７】配線基板上のランドに補助電源配線を接続した際の回路図。
【図８】配線基板上のランドにコンデンサを接続した際の回路図。
【図９】実施形態２に係る画素回路を示す回路図。
【図１０】電気光学装置を適用したモバイル型パーソナルコンピュータを示す斜視図。
【図１１】電気光学装置を適用した携帯電話機の構成を示す斜視図。
【図１２】電気光学装置を適用した携帯情報端末の構成を示す斜視図。
【図１３】従来技術に係る電気光学装置を示す模式図。
【符号の説明】
【００５８】
１  電気光学基板、  １０３  データ線、  ２００  データ線駆動回路、  ３００  制御回路、  ３１０  中継用ＦＰＣ、  ４００  画素回路、  ４１０  容量素子、  ４２０、４２０Ａ  素子、  ５００  電源回路、  Ｄ  階調データ、  Ｄ０〜Ｄ８  階調成分、  Ｄｒ１〜ＤｒＮ  駆動回路、  Ｆ１〜Ｆｎ  配線基板、  Ｉ  電気光学装置、  Ｌ１〜Ｌｎ  線路、  Ｒ１、Ｒ２  ランド、  Ｗ１〜Ｗｍ  配線
【図１】
0004736614.tif 000002
【図２】
0004736614.tif 000003
【図３】
0004736614.tif 000004
【図４】
0004736614.tif 000005
【図５】
0004736614.tif 000006
【図６】
0004736614.tif 000007
【図７】
0004736614.tif 000008
【図８】
0004736614.tif 000009
【図９】
0004736614.tif 000010
【図１０】
0004736614.tif 000011
【図１１】
0004736614.tif 000012
【図１２】
0004736614.tif 000013
【図１３】
0004736614.tif 000014